(57)【特許請求の範囲】
【請求項１】
各トンネルの平均直径が１ｍ以上で、少なくとも１つのトンネルは地表下炭化水素含有地層の表面に接続した２つ以上のトンネル；及び
該トンネルの少なくとも２つの間で延びた２つ以上の坑井孔であって、該２つ以上の坑井孔の少なくとも一部が該２つ以上のトンネルの下の該地表下炭化水素含有地層の少なくとも一部内に配置され、かつ該坑井孔の少なくとも２つは、該地表下炭化水素含有地層の少なくとも一部を加熱して、炭化水素が流動化するように構成した長尺の熱源を含む；
を備えた地表下炭化水素含有地層用処理システム。
【請求項２】
前記トンネルの少なくとも１つを前記表面に接続する少なくとも１つのシャフトを更に備える請求項１に記載のシステム。
【請求項３】
前記トンネルの少なくとも１つを前記表面に接続する１つ以上のシャフトであって、該シャフトの少なくとも１つがほぼ垂直に向いた該シャフトを更に備える請求項１に記載のシステム。
【請求項４】
前記流動化炭化水素が地層から同じ生産坑井に排出するように配置した生産坑井を更に備える請求項１に記載のシステム。
【請求項５】
前記トンネルの少なくとも１つ内に配置された生産システムを更に備え、該生産システムは地層から流体を生産し、該トンネルに集めるように構成されている請求項１に記載のシステム。
【請求項６】
前記生産システムが、重力排出により地層中に流体を集めるために配置される請求項５に記載のシステム。
【請求項７】
前記生産システムが、前記生産システムによってトンネルに連結したほぼ垂直な生産坑井孔を備える請求項５に記載のシステム。
【請求項８】
少なくとも１つのトンネルから延びる少なくとも１つの水蒸気注入坑井孔を備え、該水蒸気注入坑井孔は１つ以上の水蒸気供給源に接続し、該水蒸気注入坑井孔は水蒸気を地表下炭化水素含有地層に供給するように構成されている請求項１に記載のシステム。
【請求項９】
前記トンネルの少なくとも１つの平均直径が２ｍ以上である請求項１に記載のシステム。
【請求項１０】
前記トンネルの少なくとも１つの横断面形状が円形、または楕円形である請求項１に記載のシステム。
【請求項１１】
前記熱源の少なくとも１つが電気抵抗ヒーターであり、少なくとも１つのトンネルに配置した導電体が該ヒーターに電力を供給するように構成されている請求項１に記載のシステム。
【請求項１２】
前記熱源の少なくとも１つがガスバーナーであり、該ガスバーナー用の燃料を運ぶように構成された導管を更に備え、該導管は少なくとも１つのトンネル内に配置されている請求項１に記載のシステム。
【請求項１３】
前記熱源の少なくとも２つは、熱源間の電流の流れにより地層を加熱するように構成されている請求項１に記載のシステム。
【請求項１４】
前記熱源間の電流が地層を抵抗加熱するように構成されている請求項１３に記載のシステム。
【請求項１５】
前記坑井孔の少なくとも２つが、加熱流体を少なくとも２つのトンネル間に流して地層を加熱するように構成されている請求項１に記載のシステム。
【請求項１６】
前記トンネルの少なくとも１つに連結した生産システムを更に備え、該生産システムは加熱流体を地層から地層の表面に取出すように構成されている請求項１５に記載のシステム。
【請求項１７】
前記生産システムが、加熱流体を地層の表面に移動させる昇降システムを備える請求項１６に記載のシステム。
【請求項１８】
前記トンネルの少なくとも１つがほぼ水平であり、前記坑井孔の少なくとも２つが該ほぼ水平のトンネルから或る角度で延びている請求項１に記載のシステム。
【請求項１９】
前記トンネルを地層流体から密封するように構成されたトンネル内に１つ以上の不浸透性障壁を更に備える請求項１に記載のシステム。
【請求項２０】
前記坑井孔の少なくとも１つが、少なくとも２つのトンネル間で傾斜掘削される請求項１に記載のシステム。
【請求項２１】
請求項１〜２０のいずれか１項に記載のシステムから地表下炭化水素含有地層に熱を供給して地層中の炭化水素を流動化する工程を含む地表下炭化水素含有地層の処理方法。
【請求項２２】
前記地層から地層流体を生産する工程を更に含む請求項２１に記載の方法。
【請求項２３】
地層流体を前記トンネルの少なくとも１つに排出し、かかるトンネルから流体を地層の表面に産出させる工程を更に含む請求項２１に記載の方法。
【発明の詳細な説明】
【技術分野】
【０００１】
本発明は一般には炭化水素含有地層のような各種炭化水素含有地層から炭化水素、水素及び／又はその他の製品生産する方法及びシステムに関する。
【背景技術】
【０００２】
関連技術の説明
地表下地層から得られる炭化水素はエネルギー資源として、供給原料として、また消費製品として使用されることが多い。有用な炭化水素資源の枯渇に対する関心及び生産した炭化水素の全体的な品質低下に対する関心により、有用な炭化水素資源の一層効率的な回収、処理及び／又は使用方法が開発されてきた。地下の地層から炭化水素材料を取り出すため、現場プロセスが使用できる。地下の地層から炭化水素材料を一層容易に取り出すためには、地下地層中の炭化水素材料の化学的及び／又は物理的特性を変える必要があるかも知れない。このような化学的物理的変化は、地層中の炭化水素材料についての取出し可能な流体、組成変化、溶解度変化、密度変化、相変化及び／又は粘度変化を生成する現場反応を含むかも知れない。流体は、限定されるものではないが、ガス、液体、エマルジョン、スラリー、及び／又は液体流と同様の流動特性を有する固体粒子の流れであってよい。
【０００３】
現場プロセス中、地層を加熱するため、ダウンホール（downhole）ヒーターを設けてよい。ダウンホールヒーターを用いる現場プロセスの例は、Ｌｊｕｎｇｓｔｒｏｍの米国特許第２，６３４，９６１号、同じく米国特許第２，７３２，１９５号、同じく米国特許第２，７８０，４５０号、同じく米国特許第２，７８９，８０５号、同じく米国特許第２，９２３，５３５号、及びＶａｎ  Ｍeｕｒｓ等の米国特許第４，８８６，１１８号に記載されている。
【０００４】
現場熱処理法を用いて炭化水素含有地層を処理するため多くの異なる種類の坑井又は坑井孔が使用できる。幾つかの実施態様では地層の処理に垂直及び／又はほぼ垂直の坑井が使用されている。幾つかの実施態様では地層の処理に水平及び／又はほぼ水平の坑井（例えばＪ形坑井及び／又はＬ形坑井）、及び／又はｕ形坑井が使用されている。幾つかの実施態様では地層の処理に水平坑井、垂直坑井の組合わせ、及び／又はその他の組合わせが使用されている。特定の実施態様では坑井は、地層の上層土（overburden）を通って地層の炭化水素含有層に延びている。幾つかの状況では杭井内の熱は上層土までに失われる。幾つかの状況ではヒーターの支持に使用される表面及び上層土の基盤施設（infrastructure）及び/又は水平杭井孔又はｕ形坑井孔内の生産機器（equipment）は大型及び/又は多数である。
【発明の概要】
【発明が解決しようとする課題】
【０００５】
炭化水素含有地層から炭化水素、水素及び/又はその他の製品を経済的に生産する方法及びシステムの開発には大きな努力が払われてきた。しかし、現在、炭化水素、水素及び/又はその他の製品を経済的に生産できない炭化水素含有地層がなお多数存在する。したがって、地層の処理に小型のヒーター及び/又は小型の機器を使用可能にする改良方法及び改良システムが必要である。また、表面を基盤とする（based）機器を利用する炭化水素回収法に比べて、地層処理のエネルギーコストを低下させ、該処理方法からの放出物を低減し、加熱システムの設置を容易化し、及び/又は上層土への熱の損失を低減する改良方法及び改良システムも必要である。
【課題を解決するための手段】
【０００６】
発明の概要
ここに記載した実施態様は一般に地表下地層を処理するためのシステム、方法及びヒーターに関する。
【０００７】
特定の実施態様では、本発明は１つ以上の方法、システム及び/又はヒーターを提供する。幾つかの実施態様ではこれらの方法、システム及び/又はヒーターが地表下地層の処理に使用される。
【０００８】
特定の実施態様では本発明は、トンネルの平均直径が１ｍ以上で、少なくとも１つのトンネルは地表下炭化水素含有地層の表面に接続した１つ以上のトンネル；及び該トンネルの少なくとも１つから該地表下炭化水素含有地層の少なくとも一部に延びた２つ以上の坑井孔であって、該坑井孔の少なくとも２つは、該地表下炭化水素含有地層の少なくとも一部を加熱して、少なくとも若干の炭化水素が流動化するように構成した長尺の熱源を有する該坑井孔；を備えた地表下炭化水素含有地層用処理システムを提供する。
【０００９】
特定の実施態様では本発明は、前記システムから地表下炭化水素含有地層に熱を供給して地層中の炭化水素の少なくとも若干を流動化させる工程を含む地表下炭化水素含有地層の処理方法を提供する。
【００１０】
更なる実施態様では特定の実施態様の特徴は他の実態の特徴と組み合わせてよい。例えば一実施態様の特徴は他の実施態様のいずれかの特徴と組み合わせてよい。
【００１１】
更なる実施態様では前述した方法、システム又はヒーターのいずれかを用いて地表下地層の処理が行われる。
【００１２】
更なる実施態様では前述した特定の実施態様に別の特徴を追加してよい。
【００１３】
図面の簡単な説明
本発明の利点は、以下の詳細な説明の利得により、添付図面を参照して当業者に明らかになる可能性がある。
【図面の簡単な説明】
【００１４】
【図１】炭化水素含有地層を処理するための現場処理システムの一部の概略図を示す。
【００１５】
【図２】地下処理システムの一実施態様の透視図を示す。
【００１６】
【図３】地下処理システムの一実施態様のトンネルの透視図を示す。
【００１７】
【図４】地下処理システム及びトンネルの一部の他の拡大透視図を示す。
【００１８】
【図５】トンネル間の熱源に加熱流体を流すための一実施態様の側面図を示す。
【００１９】
【図６】トンネル間の熱源に加熱流体を流すための一実施態様の上面図を示す。
【００２０】
【図７】地下処理システムの２つのトンネルまでの間に亘るヒーター坑井孔を有する地下処理システムの一実施態様の透視図を示す。
【００２１】
【図８】坑井孔室を有するトンネルの一実施態様の上面図を示す。
【００２２】
【図９】地下処理システムの一実施態様のトンネル区画の概略図を示す。
【００２３】
【図１０】表面生産を有する地下処理システムの一実施態様の概略図を示す。
【００２４】
【図１１】地下処理システムの一実施態様の側面図を示す。
【発明を実施するための形態】
【００２５】
本発明は各種の変形及び代替形態に影響を受け易いが、それらの特定の実施態様を図面で例示し、ここで詳細に説明できる。図面は、物差しで測定できない。しかし、図面及び図面についての詳細な説明は、本発明の限定を意図するものではなく、却って本発明は、添付の特許請求の範囲で定義された本発明の精神及び範囲に含まれる全ての変形、均等物及び代替物を包含するものであると理解すべきである。
【００２６】
詳細な説明
以下の説明は一般には地層中の炭化水素を処理するためのシステム及び方法に関する。このような地層は炭化水素製品、水素及びその他の製品を得るために処理できる。
【００２７】
“ＡＰＩ比重”とは、１５．５℃（６０°F）でのＡＰＩ比重のことである。ＡＰＩ比重はＡＳＴＭ法Ｄ６８２２又はＡＳＴＭ法Ｄ１２９８により測定されるものとする。
【００２８】
“ＡＳＴＭ”とは米国標準試験及び材料（Ａｍｅｒｉｃａｎ  Ｓｔａｎｄａｒｄ  Ｔｅｓｔｉｎｇ  ａｎｄ  Ｍａｔｅｒｉａｌｓ）のことである。
【００２９】
“炭素数”とは分子中の炭素原子の数のことである。炭化水素流体は異なる炭素数を有する種々の炭化水素を含有してよい。炭化水素流体は炭素数分布により説明してよい。炭素数及び／又は炭素数分布は正確な沸点分布及び／又は気体−液体クロマトグラフィーにより測定できる。
【００３０】
“分解”とは、有機化合物の分解及び分子再結合により初期に存在する分子よりも多数の分子を生成する工程を含む方法のことである。分解では一連の反応が分子間で水素原子の移行を伴って起こる。例えばナフサは熱分解反応を受けてエテン及びＨ２を形成する。
【００３１】
“流体圧”は、地層中の流体によって発生する圧力である。“地盤圧”（しばしば”地盤応力”といわれる）は、地層内圧力であり、重量／（被さっている岩盤塊の単位面積）に等しい。“静水圧”は、水柱によって発揮される地層内圧力である。
【００３２】
“地層”としては、１つ以上の炭化水素含有層、１つ以上の非炭化水素層、上層土（overburden）、及び／又は下層土（underburden）が含まれる。“炭化水素層”とは、炭化水素を含む地層内の層のことである。炭化水素層は、非炭化水素材料及び炭化水素材料を含んでもよい。“上層土”及び／又は“下層土”には、１つ以上の異種の不浸透性材料が含まれる。例えば、上層土及び／又は下層土には、岩石、頁岩、泥岩、又は湿潤／緊密（tight）炭酸塩が含まれてもよい。現場熱処理法の幾つかの実施態様においては、上層土及び／又は下層土には、比較的不浸透性であり、現場熱処理中の温度を受けない炭化水素含有層が含まれてもよい。上層土及び／又は下層土の炭化水素含有層がこのような温度を受ければ、炭化水素含有層に著しい特性変化をもたらす。例えば下層土は頁岩又は泥岩を含んでもよいが、下層土は現場熱処理プロセス中に、熱分解温度まで加熱することはできない。幾つかの場合においては、上層土及び／又は下層土は、幾らか浸透性であってもよい。
【００３３】
“地層流体”とは地層内に存在する流体をいい、これには、熱分解流体、合成ガス、流動化（mobilized）炭化水素、及び水（水蒸気）が含まれてよい。地層流体には炭化水素流体や非炭化水素流体が含まれてもよい。用語“流動化流体”とは、地層の熱処理の結果として、炭化水素含有地層内の流動可能な流体のことである。“生産流体”とは、地層から除去された（又は取り出された）流体のことである。
【００３４】
“熱源”は、実質的に導電及び／又は輻射熱伝達によって、熱を地層の少なくとも一部に供給又は付与するいずれかのシステムである。例えば熱源には、絶縁導電体、長尺部材、及び／又は導管中に配置した導電体のような電気ヒーターが含まれてよい。熱源にはまた、燃料を地層の外又は中で燃焼することによって、熱を生成するシステムが含まれてもよい。このようなシステムは、表面バーナー、ダウンホールガスバーナー、無炎分配型燃焼器、及び自然分配型燃焼器であってもよい。幾つかの実施態様においては、１つ以上の熱源に供給されるか、又はそこで発生する熱は、他のエネルギー源によって供給してもよい。他のエネルギー源は地層を直接加熱してもよく、或いはこのエネルギーは地層を直接又は間接に加熱する伝達媒体に適用してもよい。地層に熱を加える１つ以上の熱源は、異なるエネルギー源を用いてよいことは、理解すべきである。したがって、例えば所定の地層に対しては、幾つかの熱源は電気抵抗ヒーターから熱を供給してもよく、幾つかの熱源は燃焼により熱を供給してもよく、幾つかの熱源は１つ以上の他のエネルギー源（例えば、化学反応、太陽エネルギー、風力エネルギー、バイオマス、又は他の再生可能なエネルギー源）から熱を供給してもよい。化学反応には発熱反応（例えば、酸化反応）が含まれてよい。熱源にはまた、ヒーター坑井のような加熱場所の近傍、及び／又はそれを取り囲む帯域に熱を供給するヒーターが含まれてもよい。
【００３５】
“ヒーター”は、坑井内又は付近の坑井孔領域で生成するためのいずれかのシステム又は熱源である。ヒーターは、限定されるものではないが、電気ヒーター、バーナー、地層内の材料、又はそこから生産される材料と反応する燃焼器、及び／又はそれらの組合せであってよい。
【００３６】
“重質炭化水素”は粘稠な炭化水素流体である。重質炭化水素としては、重油、タール、及び／又はアスファルトのような高粘稠な炭化水素流体が含まれてよい。重質炭化水素は、炭素及び水素、並びに低濃度の硫黄、酸素及び窒素を含有してよい。重質炭化水素には別の元素が痕跡量含まれてもよい。重質炭化水素は、ＡＰＩ比重により分類でき、一般に約２０°未満のＡＰＩ比重を有する。重油のＡＰＩ比重は、例えば一般に約１０〜２０°であるのに対し、タールのＡＰＩ比重は約１０°未満である。重質炭化水素の粘度は一般に１５℃で１００ｃＰを超える。重質炭化水素は、芳香族又はその他の複合環炭化水素を含有してよい。
【００３７】
重質炭化水素は、比較的浸透性の地層で発見できる。比較的浸透性の地層は、例えば砂又は炭酸塩中に混入された重質炭化水素を含有してよい。“比較的浸透性”は、地層又はその複数部分について、平均１０ミリダルシー（millidarcy）以上（例えば１０又は１００ミリダルシー）と定義する。“比較的低い浸透度”は、地層又はその複数部分について、平均約１０ミリダルシー未満と定義する。１ダルシーは約０．９９μｍ２に等しい。不浸透層の浸透度は、一般に約０．１ミリダルシー未満である。
【００３８】
重質炭化水素を含む特定種類の地層としては、限定されるものではないが、天然鉱物蝋又は天然アスファルト鉱が挙げられる。“天然鉱物蝋”は、通常、幅数メートル、長さ数キロ、深さ数百メートルの可能性があるほぼ管状鉱脈に産出する。“天然アスファルト鉱”は、芳香族組成の固体炭化水素を含有し、通常、大きな鉱脈に産出する。天然鉱物蝋及び天然アスファルト鉱のような地層から炭化水素の現場回収法には、溶融による炭化水素の形成及び／又は地層からの炭化水素の溶液採鉱がある。
【００３９】
“炭化水素”は、一般に主として炭素及び水素原子によって形成される分子として定義される。炭化水素には、限定されるものではないが、ハロゲン、金属元素、窒素、酸素、及び／又は硫黄のような他の元素が含まれてもよい。炭化水素は、限定されるものではないが、ケローゲン、ビチューメン、ピロビチューメン、油、天然鉱ワックス、及びアスファルト鉱であってもよい。炭化水素は地球の鉱物基質中、又はそれに隣接して配置されていてもよい。基質には、限定されるものではないが、堆積岩、砂、シリシライト、炭酸塩、珪藻土、及び他の多孔質媒体が含まれてもよい。“炭化水素流体”は、炭化水素を含む流体である。炭化水素流体は、水素、窒素、一酸化炭素、二酸化炭素、硫化水素、水、及びアンモニアのような非炭化水素流体中に含有してもよいし、或いはこれを混入しても又は混入されてもよい。
【００４０】
“現場転化法”とは、炭化水素含有地層を、熱源から加熱して、地層の少なくとも一部の温度を熱分解温度を超える温度に昇温させ、こうして熱分解流体が地層内に生産される方法のことである。
【００４１】
“現場熱処理法”とは、炭化水素含有地層を熱源で加熱して、層の少なくとも一部の温度を、炭化水素含有材料の流動化流体、粘度低下（visbreaking）、及び／又は熱分解が生じる温度を超える温度に上昇させ、こうして流動化流体、粘度低下流体、及び／又は熱分解流体が地層内に生産される方法のことである。
【００４２】
“絶縁導電体”とは電気を導くことができ、かつ全体又は一部が、電気絶縁材料によって被覆されたいずれかの長尺材料のことである。
【００４３】
“熱分解”は、熱を加えることによる化学結合の切断である。例えば、熱分解には、化合物を熱のみによって１種以上の他の材料に変換する工程が含まれてもよい。熱は地層の或る区画に移送されて、熱分解を引起こしてもよい。
【００４４】
“熱分解流体”又は“熱分解生成物”とは、実質的に炭化水素の熱分解中に、生産又は生成される流体のことである。熱分解反応によって生産される流体は、地層内の他の流体と混合してもよい。混合物は熱分解流体又は熱分解生成物とみなされる。ここで使用する“熱分解帯域”とは、反応させるか、又は反応して熱分解流体を形成する或る容積の地層（例えば、タールサンド地層などの比較的浸透性の地層）のことである。
【００４５】
“沈下”は、地層表面の初期の高さと比較した地層の一部の下方移動である。
【００４６】
“熱の積重ね”とは、２つ以上の熱源間の少なくとも１箇所の地層の温度がこれらの熱源により影響を受けるように、これら２つ以上の熱源から地層の選択区画に熱を供給することである。
【００４７】
“合成ガス”は水素及び一酸化炭素を含む混合物である。合成ガスの別の成分としては、水、二酸化炭素、窒素、メタン及びその他のガスが含まれる。合成ガスは種々の方法及び供給原料により発生させることができる。合成ガスは広範囲の化合物の合成に使用できる。
【００４８】
“タール”は、１５℃での粘度が約１０，０００ｃＰを超える粘稠な炭化水素である。タールの比重は、一般に１．０００を超える。タールのＡＰＩ比重は、１０°未満であってよい。
【００４９】
“タールサンド地層”は、炭化水素が大部分、重質炭化水素の形態で存在する地層である、及び／又は鉱物粒組織（framework）又はその他の宿主岩石（host lithology）（例えば砂又は炭酸塩）中に混入されたタールである。タールサンド地層の例としては、カナダ、ＡｌｂｅｒｔａのＡｔｈａｂａｓｃａ地層、Ｇｒｏｓｍｏｎｔ地層及びＰｅａｃｅ  Ｒｉｖｅｒ地層；及びベネズエラのＯｒｉｍｏｃｏ地帯にあるＦａｊａ地層が含まれる。
【００５０】
“温度制限ヒーター”とは、一般に温度調節器、出力レギュレーター、整流器、又はその他の装置のような外部制御を用いずに、特定温度を超える熱出力を調整する（例えば熱出力を低下させる）ヒーターをいう。温度制限ヒーターは、ＡＣ（交流）又は変調（例えば“チョップド（chopped）”）ＤＣ（直流）で出力される電気抵抗ヒーターであってよい。
【００５１】
層の“厚さ”とは、層の断面の厚さのことで、断面は、普通、層の面に対してである。
【００５２】
“ｕ形坑井孔”とは、地層の第一開口から伸びて、地層の少なくとも一部を経由し、地層の第二開口経由で出る坑井孔のことである。これに関連して坑井孔は、単に大凡“ｖ”又は“ｕ”の形状であって、“ｕ”の脚が 、“ｕ”形とみなされる坑井孔の“ｕ”底部に対し互いに平行か、或いは垂直である必要はないと理解する。
【００５３】
“品質向上”とは、炭化水素の品質を向上させることである。例えば重質炭化水素を品質向上すると、重質炭化水素のＡＰＩ比重が増大する。
【００５４】
“粘度低下”とは、熱処理中の流体に分子の絡み合いを解いて、及び／又は熱処理中、大きい分子から小さい分子に破壊して、流体の粘度を低下させることである。
【００５５】
“粘度”とは、特に規定しない限り、４０℃での動粘度のことである。粘度はＡＳＴＭ法Ｄ４４５により測定する。
【００５６】
用語“坑井孔”とは、地層中に導管を掘削又は挿入して作った地層中の孔のことである。坑井孔は、ほぼ円形の断面又は他の断面形状を有する。地層中の開口に言及した場合、ここで使用した用語“坑井”及び“開口”は、用語“坑井孔”と交換可能に使用できる。
【００５７】
地層は多数の異なる製品を製造する各種方法で処理してよい。現場熱処理法中、地層を処理するため、種々の段階又は方法を使用してよい。幾つかの実施態様では地層の１つ以上の区画は、可溶鉱物を除去するため、溶液採鉱される。鉱物の溶液採鉱は、現場熱処理法の前、処理法中又は処理法の後に行ってよい。幾つかの実施態様では、溶液採鉱される１つ以上の区画の平均温度は約１２０℃未満に維持してよい。
【００５８】
幾つかの実施態様では地層の１つ以上の区画は水を除去するため、及び／又はメタン及びその他の揮発性炭化水素を除去する（取り出す）ため、加熱される。幾つかの実施態様では水及び揮発性炭化水素の除去中、平均温度は周囲温度から約２２０℃未満の温度に上げてよい。
【００５９】
幾つかの実施態様では地層の１つ以上の区画は地層中の炭化水素を移動及び／又は粘度低下させる温度に加熱される。幾つかの実施態様では地層の１つ以上の区画の平均温度はその区画の炭化水素の流動化温度（例えば１００〜２５０℃、１２０〜２４０℃、又は１５０〜２３０℃の範囲の温度）に上げられる。
【００６０】
幾つかの実施態様では地層の１つ以上の区画は地層中で熱分解反応させる温度に加熱される。幾つかの実施態様では地層の１つ以上の区画の平均温度はその区画の炭化水素の熱分解温度（例えば２３０〜９００℃、２４０〜４００℃、又は２５０〜３５０℃の範囲の温度）に上げてよい。
【００６１】
炭化水素含有地層を複数の熱源で加熱すると、地層中の炭化水素の温度を所望の加熱速度で所望の温度に上昇させる熱源周囲の熱勾配を定着する（establish）ことができる。所望製品の流動化温度範囲及び／又は熱分解温度範囲内での昇温速度は、炭化水素含有地層から生成する地層流体の品質及び量に影響を与える可能性がある。流動化温度範囲及び／又は熱分解温度範囲内で温度を徐々に上昇させると、地層から高品質で高ＡＰＩ比重の炭化水素を生産することが可能である。熱分解温度範囲内で地層の温度を徐々に上昇させると、炭化水素製品として地層中に存在する炭化水素を多量に取出すことが可能である。
【００６２】
幾つかの現場熱処理の実施態様では地層の一部は、或る温度範囲内で徐々に所望温度に加熱することなく、所望温度に加熱される。幾つかの実施態様では所望温度は３００℃、３２５℃又は３５０℃である。所望温度として、その他の温度も選択できる。
【００６３】
複数の熱源から熱を積重ねると、地層中に比較的早く、かつ効率的に所望温度を定着することができる。熱源からの地層へのエネルギー入力は、地層の温度をほぼ所望温度に維持するように調節してよい。
【００６４】
流動化生成物及び／又は熱分解生成物は地層から生産坑井経由で生産できる。幾つかの実施態様では地層の１つ以上の区画の平均温度は、炭化水素の流動化温度まで上げられ、生産坑井から炭化水素が生産される。流動化により生産量が選択値未満に低下した後、１つ以上の区画の平均温度は熱分解温度まで上げてよい。幾つかの実施態様では１つ以上の区画の平均温度は、熱分解温度に達する前に量産することなく熱分解温度に上げてよい。熱分解生成物を含む地層流体は生産坑井経由で生産してよい。
【００６５】
幾つかの実施態様では１つ以上の区画の平均温度は易動化及び／又は熱分解後に合成ガスを生産するのに充分な温度に上げてよい。幾つかの実施態様では炭化水素は、合成ガスを生産するのに充分な温度に達する前に量産することなく、合成ガスを生産するのに充分な温度に上げてよい。例えば合成ガスは約４００〜約１２００℃、約５００〜約１１００℃、約５５０〜約１０００℃の範囲の温度で生産できる。合成ガス発生用流体（例えば水蒸気及び／又は水）は合成ガスを発生する区画に導入してよい。合成ガスは生産坑井から生産してよい。
【００６６】
溶液採鉱、揮発性炭化水素及び水の除去、炭化水素の流動化、炭化水素の熱分解、合成ガスの発生、及び／又はその他の方法は現場熱処理法中、行ってよい。幾つかの実施態様では幾つかの方法は現場熱処理法の後で行ってもよい。このような方法としては、限定されるものではないが、処理した区画から熱を回収する方法、予備処理した区画の流体（例えば水及び／又は炭化水素）を貯蔵する方法、及び／又は予備処理した区画に二酸化炭素を隔離する方法が含まれる。
【実施例】
【００６７】
図１は炭化水素含有地層を処理するための現場熱処理システムの一部の実施態様の概略図を示す。現場熱処理システムは障壁（barrier）坑井２００を有する。障壁坑井は処理領域の周囲に障壁を形成するために使用される。この障壁は流体流が処理領域内及び／又は処理領域外に入るのを阻止する。障壁坑井としては、限定されるものではないが、水除去性坑井、真空坑井、捕獲坑井、注入坑井、グラウト坑井、凍結坑井、又はそれらの組合わせが含まれる。幾つかの実施態様では、障壁坑井２００は水除去性坑井である。水除去性坑井は液体水を除去できる、及び／又は液体水が加熱すべき又は加熱中の地層又は地層の或る部分に入るのを阻止できる。図１に示す実施態様では障壁坑井２００は熱源２０２の片側沿いにだけ延びているが、障壁坑井は、通常、地層の処理領域を加熱するために、使用されるか又は使用すべき熱源２０２を全て囲っている。
【００６８】
熱源２０２は地層の少なくとも一部に配置される。熱源２０２としては、絶縁導電体、導管内導電体型（conductor-in-conduit）ヒーター、表面バーナー、無炎分配燃焼器、及び／又は自然分配燃焼器のようなヒーターが含まれてよい。熱源２０２は他種のヒーターを含んでもよい。熱源２０２は、地層中の炭化水素を加熱するため、地層の少なくとも一部に熱を供給する。供給ライン２０４経由で熱源２０２にエネルギーを供給してもよい。供給ライン２０４は、地層の加熱に使用する熱源の種類に従って、構造的に異なっていてもよい。熱源用供給ライン２０４は、電気ヒーター用の電気を伝達できるか、燃焼器用の燃料を輸送できるか、或いは地層に循環させる熱交換流体を輸送できる。幾つかの実施態様では現場熱処理法用の電気は原子力発電所により供給できる。原子力を使用すれば、現場熱処理法からの二酸化炭素排出量を低減又は無くすことができる。
【００６９】
地層を加熱すると、地層の浸透度及び／又は多孔度が増大する可能性がある。浸透度及び／又は多孔度の増大は、水の気化及び除去、炭化水素の除去、及び／又は割れ目の形成により地層の質量が低下することで生じるのかも知れない。地層の高い浸透度及び／又は多孔度により、流体は地層の加熱部分で一層流れ易くなる。地層の加熱部分の流体は、高い浸透度及び／又は多孔度により、地層内を相当な距離移動できる。この相当な距離は、種々の要因、例えば地層の浸透度、流体の特性、地層の温度、及び流体を動かす圧力勾配に従って１０００ｍを超える可能性がある。流体は地層中で相当な距離移動する能力を有するので、複数の生産坑井２０６は地層中で比較的遠く離すことができる。
【００７０】
生産坑井２０６は地層から地層流体を取出すために使用される。幾つかの実施態様では生産坑井２０６は熱源を備える。生産坑井中の熱源は、この生産坑井での又は生産坑井近くの地層の１つ以上の部分を加熱できる。現場熱処理法の幾つかの実施態様では、生産坑井から地層に供給される生産坑井１ｍ当たりの熱量は、地層を加熱する熱源から地層に供給される熱源１ｍ当たりの熱量よりも少ない。生産坑井から地層に加えた熱は、生産坑井に隣接する液相流体を気化させ除去することにより、及び／又は巨大な及び／又は微小の割れ目を形成して生産坑井に隣接する地層の浸透度を高めることにより、生産坑井に隣接する地層の浸透度を高めることができる。
【００７１】
幾つかの実施態様では、生産坑井２０６の熱源により、地層からの地層流体の気相除去が可能となる。生産坑井で、又は生産坑井を介して加熱を行うと、（１）このような生産流体が上層土近傍の生産坑井内を移動している場合には、生産流体の凝縮及び／又は逆流を防止できる、（２）地層中への熱入力を増大できる、（３）生産坑井の生産速度を、熱源を用いない生産坑井に比較して増大できる、（４）生産坑井における高炭素数化合物（Ｃ６以上の炭化水素）の凝縮を防止できる、及び／又は（５）生産坑井で、又は生産坑井近傍で地層の浸透度を増大できる。
【００７２】
地層内の地表下圧力は、地層内に生じた流体圧力と一致してよい。地層の加熱部分における温度が上がるのに従って、現場での流体の熱膨張、流体の生成及び水の気化が増大する結果として、加熱部分における圧力は増大してもよい。地層からの流体除去速度を制御することにより、地層内の圧力の制御が可能である。地層内の圧力は多数の異なる場所（生産坑井付近又は生産坑井、熱源付近又は熱源、又は監視坑井など）で測定してよい。
【００７３】
幾つかの炭化水素含有地層では地層からの炭化水素の生産は、地層内の少なくとも若干の炭化水素が流動化及び／又は熱分解するまで抑制される。地層流体が選択された品質を有する場合には、地層流体は地層から生産してもよい。幾つかの実施態様では、選択された品質には、少なくとも約２０°、３０°又は４０°のＡＰＩ比重が含まれる。少なくとも若干の炭化水素が流動化及び／又は熱分解するまで生産を抑制すると、重質炭化水素の軽質炭化水素への転化を増大できる。初期の生産を抑制すると、地層からの重質炭化水素の生産を最小化できる。かなりの量の重質炭化水素の生産は、高価な機器を必要とする、及び／又は生産機器の寿命を低下させるかも知れない。
【００７４】
幾つかの実施態様では、地層中に生産坑井２０６への開放路、又は他の何らかの圧力降下は未だ存在しなくてもよいが、地層中に生成した流動化流体、熱分解流体又はその他の流体の膨張により発生した圧力は増大させてもよい。流体圧力は地盤圧力まで増大させてもよい。炭化水素含有地層中の割れ目は、流体が岩盤圧力に近づくと形成できる。例えば割れ目は、地層の加熱部分において、熱源２０２から生産坑井２０６までに形成できる。加熱部分で割れ目が発生すると、加熱部分の圧力を若干緩和できる。地層の圧力は、不要の生産、上層土又は下層土の破損、及び／又は地層中の炭化水素のコークス化を防止するため、選択された圧力未満に維持する必要があるかも知れない。
【００７５】
流動化温度及び／又は熱分解温度に達し、地層からの生産が可能になった後、地層内の圧力は、生産された地層流体の組成を変更及び／又は制御するため、地層流体中の非凝縮性流体に対する凝縮性流体の％割合を制御するため、及び／又は生産中の地層流体のＡＰＩ比重を制御するため、変化させてもよい。例えば、圧力の低下により、更に多くの凝縮性流体成分を生産してもよい。凝縮性流体成分はオレフィンを大きな％割合で含んでもよい。
【００７６】
幾つかの現場熱処理法の実施態様では地層内の圧力は、ＡＰＩ比重が２０°を超える地層流体の生産を促進するのに十分に高く、維持してよい。地層中で高い圧力を維持すると、現場熱処理中、地層の沈下が防止できる。高い圧力を維持すると、地層流体を表面で圧縮する必要性が低下又は回避され、流体を収集導管中で処理設備（facilities）に輸送できる。
【００７７】
地層の加熱部分で高い圧力を維持すると、意外にも、高品質で比較的低分子量の炭化水素を量産することが可能となる。生産された地層流体が、選択された炭素数を超える化合物を最少量有するように、圧力を維持できる。選択された炭素数は２５以下、２０以下、１２以下、又は８以下であってよい。高炭素数の幾つかの化合物は地層内の蒸気に混入されてもよく、蒸気と共に地層から除去されてもよい。地層内で高い圧力を維持すると、高炭素数の化合物及び／又は多環炭化水素化合物の蒸気への混入が防止できる。高炭素数の化合物及び／又は多環炭化水素化合物は、かなりの時間、地層内に液相で留まっていてよい。かなりの時間は、化合物が熱分解して、低炭素数の化合物を形成するのに十分な時間であってよい。
【００７８】
生産坑井２０６から生産された地層流体は収集配管２０８を通って処理設備２１０に輸送してよい。また地層流体は熱源２０２から生産してもよい。例えば流体は熱源２０２から生産して、熱源に隣接する地層内の圧力を制御してもよい。熱源２０２から生産された流体は配管を通って、収集配管２０８に輸送してもよいし、或いは生産された流体は、配管を通って、直接、処理設備２１０に輸送してもよい。処理設備２１０としては、分離ユニット、反応ユニット、品質高向上ユニット、燃料電池、タービン、貯蔵容器、及び／又はその他、生産された地層流体を処理するためのシステム又はユニットが含まれてよい。処理設備は、地層で生産された炭化水素の少なくとも一部から輸送用燃料を形成できる。幾つかの実施態様では輸送用燃料はＪＰ−８のようなジェット燃料であってよい。
【００７９】
特定の実施態様ではヒーター、ヒーターの電（power）源、生産機器、供給ライン、及び／又は他のヒーター又は生産支持機器は、地層の処理に小型のヒーター及び／又は小型の機器を使用可能にするため、トンネル内に配置される。トンネル内にこのような機器及び／又は構造を配置すると、表面基盤機器を利用する炭化水素回収法に比べて、地層処理のエネルギーコストを低下させ、該処理方法からの放出物を低減し、加熱システムの設置を容易化し、及び/又は上層土への熱の損失を低減することも可能である。トンネルは、例えばほぼ水平のトンネル及び／又は傾斜したトンネルであってよい。Ｗａｔｓｏｎ等の米国公開特許出願第２００７／００４４９５７号及び第２００８／００１７４１６号；及びＤｏｎｎｅｌｌｙ等の米国公開特許出願第２００８／００７８５５２号には炭化水素の地下回収用シャフトから掘削する方法及び炭化水素の地下回収法が記載されている。
【００８０】
特定の実施態様ではトンネル及び／又はシャフトは、現場熱処理法を用いて炭化水素含有地層を処理するために、坑井と組合わせて使用される。図２は、地下処理システム２２２の透視図を示す。地下処理システム２２２は、現場熱処理法を用いて炭化水素層２１６を処理するのに使用される。特定の実施態様では地下処理システム２２２は、シャフト２２４、用役（utility）シャフト２２６、トンネル２２８Ａ、トンネル２２８Ｂ及び坑井孔２１２を有する。トンネル２２８Ａ、２２８Ｂは、地層の、上層土２１４、下層土、非炭化水素含有層又は炭化水素低含有層に設けてよい。幾つかの実施態様ではトンネル２２８Ａ、２２８Ｂは地層の岩石層中に設けてよい。例えばトンネル２２８Ａ、２２８Ｂは、浸透度が約１ミリダルシー以下の地層の一部に設けてよい。
【００８１】
シャフト２２４及び／又は用役シャフト２２６は、当該技術分野で公知の方法を用いて形成され、強化できる（例えば倒壊防止のため支持できる）。例えばシャフト２２４及び／又は用役シャフト２２６は、ブラインド（blind）を用いて形成され、泥水比重（mud weight）を用いると共に、シャフトを支持するため、内張りする（lining）孔掘削技術を立ち上げる（raise）ことができる。従来技術を用いてシャフト中で機器を上昇、下降でき、及び／又はシャフト経由で用役（utilities）を供給できる。
【００８２】
トンネル２２８Ａ、２２８Ｂは、当該技術分野で公知の方法を用いて形成され、強化できる（例えば倒壊防止のため支持できる）。例えばトンネル２２８Ａ、２２８Ｂは、道路ヘッダー、掘削（drill）及び衝風（blast）、トンネルボーリング機械、及び／又はトンネルを形成するための連続的鉱脈採掘（miner）技術を用いて形成され、強化できる。トンネルの強化は、例えば尾根の支持、メッシュ（mesh）、及び／又は吹付けコンクリートにより得られる。トンネルの強化により、トンネルの崩壊が防止でき、及び／又は地層の処理中にトンネルが動くのを防止できる。
【００８３】
特定の実施態様ではトンネル２２８Ａ、トンネル２２８Ｂ、シャフト２２４及び／又は用役シャフト２２６は、トンネル又はシャフトの構造又は保全性（integrity）の変化について監視される。例えば従来の鉱脈調査技術を用いてトンネル及び／又はシャフトの構造及び保全性を監視できる。更に、システムを用いてトンネル又はシャフトの構造及び／又は保全性に影響を与える可能性がある地層の特性変化を監視できる。
【００８４】
特定の実施態様ではトンネル２２８Ａ、２２８Ｂは、地層中でほぼ水平か又は傾斜している。幾つかの実施態様ではトンネル２２８Ａは、シャフト２２４及び用役シャフト２２６のラインと平行して延びている。トンネル２２８Ｂはトンネル２２８Ａ間を接続してよい。幾つかの実施態様ではトンネル２２８Ｂは、トンネル２２８Ａ間を交差接近させる。幾つかの実施態様ではトンネル２２８Ｂは、地層表面下のトンネル２２８Ａ間で生産を交差接続するのに使用される。
【００８５】
トンネル２２８Ａ、２２８Ｂの横断面形状は、長方形、円形、楕円形、馬蹄形、不定形又はそれらの組合わせであってよい。トンネル２２８Ａ、２２８Ｂの横断面は、人、機器及び／又は自動車がトンネルを通過するのに十分な大きさであってよい。幾つかの実施態様ではトンネル２２８Ａ、２２８Ｂの横断面は、人及び／又は自動車がトンネル内に配置した機器のそばを自由に通るのに十分な大きさである。幾つかの実施態様では、以上の実施態様で説明したトンネルの平均直径は１ｍ以上、２ｍ以上、５ｍ以上又は１０ｍ以上である。
【００８６】
特定の実施態様ではシャフト２２４及び用役シャフト２２６は、上層土２１４中のトンネル２２８Ａと接続している。幾つかの実施態様ではシャフト２２４及び／又は用役シャフト２２６は、地層の他の層中のトンネル２２８Ａと接続している。シャフト２２４及び用役シャフト２２６は、当該技術分野に公知の方法で鉱脈シャフトを掘削するため、及び／又は埋込む（sink）ため、埋込むか、又は形成できる。特定の実施態様ではシャフト２２４及び／又は用役シャフト２２６は、上層土２１４及び／又は炭化水素層２１６中のトンネル２２８Ａと表面２１８まで接触している。幾つかの実施態様ではシャフト２２４及び／又は用役シャフト２２６は、単価水素層１６の中まで延びている。例えばシャフト２２４は、炭化水素層２１６からの流体を表面２１８に生成させるために、生産導管及び／又はその他の生産機器を備えてよい。
【００８７】
特定の実施態様ではシャフト２２４及び／又は用役シャフト２２６は、ほぼ垂直か又は垂直に対し僅かな角度を有する。シャフト２２４及び／又は用役シャフト２２６の横断面は、人、機器及び／又は自動車がシャフトを通過するのに十分な大きさである。幾つかの実施態様ではシャフト２２４及び／又は用役シャフト２２６は円形の横断面を有する。シャフト及び／又は用役シャフトの平均横断面直径は０．５ｍ以上、１ｍ以上、２ｍ以上、５ｍ以上又は１０ｍ以上である。
【００８８】
特定の実施態様では２つのシャフト２２４間の距離は５００〜５０００ｍ、１０００〜４０００ｍ、又は２０００〜３０００ｍである。特定の実施態様では２つの用役シャフト２２６間の距離は１００〜１０００ｍ、２５０〜７５０ｍ、又は４００〜６００ｍである。
【００８９】
特定の実施態様ではシャフト２２４の横断面は用役シャフト２２６の横断面よりも大きい。シャフト２２４は、大きな換気、材料、機器、自動車及び人のために、トンネル２２８Ａに接近させてよい。用役シャフト２２６は、限定されるものではないが、電力供給脚、生産立上がり管（riser）、及び／又は換気口のような機器又は構造用に、トンネル２２８Ａに近接してサービス回廊を供与できる。幾つかの実施態様ではシャフト２２４及び／又は用役シャフト２２６は、シャフト中のガス水準を監視し、評価するため、及び／又は必要ならばシャフトを密封するため、監視システム及び／又は密封システムを備える。
【００９０】
図３は地下処理システム２２２及びトンネル２２８Ａの一部の拡大透視図を示す。特定の実施態様ではトンネル２２８Ａは、ヒータートンネル２３０及び／又は用役トンネル２３２を有する。幾つかの実施態様ではトンネル２２８Ａは、出入りトンネル及び／又はサービストンネルのような別のトンネルを有する。図４は地下処理システム２２２及びトンネル２２８Ａの一部の拡大透視図を示す。図４に示すトンネル２２８Ａはヒータートンネル２３０、用役トンネル２３２及び／又は出入りトンネル２３４を備えてよい。
【００９１】
図３に示す特定の実施態様では坑井孔２１２は、ヒータートンネル２３０から延びている。坑井孔２１２としては、限定されるものではないが、ヒーター坑井、熱源坑井、生産坑井、注入坑井（例えば水蒸気注入坑井）及び／又は監視坑井が含まれてよい。坑井孔２１２内に配置できるヒーター及び／又は熱源としては、限定されるものではないが、電気ヒーター、酸化ヒーター（ガスバーナー）、熱伝達流体循環ヒーター、閉鎖環状溶融塩循環システム、粉砕石炭システム及び／又はジュール熱源（地層の２つの坑井孔中に導電性材料を有する熱源間を流れる電流を用いて地層を加熱するもの）が含まれてよい。ジュール熱源に使用される坑井孔は、同じトンネル（例えば坑井孔間に流れる電流を有する２つのトンネル間に延びているほぼ水平の坑井孔）から、又は異なるトンネル（例えば坑井孔間に電流を流すため、離れた２つの異なるトンネルから延びている坑井孔）から延びてよい。
【００９２】
導電性材料を有する熱源で地層を加熱すると、地層内の浸透度を増大できる、及び／又は地層中の炭化水素の粘度を低下できる。導電性材料により地層を加熱すると、電流は地層内で一方の熱源から他方の熱源に流れることができる。地層内で電流又は“ジュール加熱”を用いる加熱は、地層中で離れたヒーター間に導電性加熱を用いて炭化水素層を加熱するよりも、短時間で炭化水素層の複数部分を加熱できる。
【００９３】
特定の実施態様では地表下地層（例えばタールサンド又は重質炭化水素地層）は誘電媒体を含有する。誘電媒体は１００℃未満の温度で導電率、比誘電率及び誘電正接を示すことができる。地層を１００℃より高温に加熱すると、地層の岩石母材中の隙間に含まれる水分の損失により、導電率、比誘電率及び誘電正接の低下（loss）が起こる可能性がある。水分の損失を防止するため、水の気化を最小にする温度及び圧力で地層を加熱することができる。幾つかの実施態様では地層の電気特性を維持する助けにするため、地層に導電性溶液が添加される。地層を低温で加熱する場合、浸透性及び／又は注入性を得るためには、地層を長時間、加熱する必要があるかも知れない。
【００９４】
幾つかの実施態様では地層は水及び／又は導電性溶液を気化させる温度に加熱するジュール加熱及び圧力を用いて加熱される。しかし、電流の生成に使用される材料は熱応力により損傷されるかも知れない、及び／又は導電性材料の損失により層内の熱伝達が制限されるかも知れない。更に、電流又はジュール加熱を用いると、磁場が形成される可能性がある。磁場が存在するため、非強磁性材料は上層土のケーシングを所望するかも知れない。ジュール加熱を用いて地層を加熱する方法が多数記載されているが、導電性材料を有する熱源を用いて炭化水素を加熱し生産する効率的で経済的な方法は必要である。
【００９５】
幾つかの実施態様では導電性材料を含有する熱源は炭化水素層中に配置される。炭化水素層の電気抵抗部分は熱源から該層内を流れる電流により加熱できる。炭化水素層中の導電性熱源導電性溶液の損失を最小限にするのに十分深い所に位置するので、最小限の水及び／又は導電性溶液の損失を伴うが、炭化水素層を所定時間に亘って比較的高温に加熱することができる。
【００９６】
熱源をヒータートンネル２３０経由で炭化水素層２１６に導入すると、上層土２１４への著しい熱の損失もなく、炭化水素層を加熱することができる。上層土への熱損失が少なく、主として炭化水素層２１６に熱を供給できるので、ヒーターの効率を高めることができる。上層土にヒーター坑井孔区画を必要とせず、炭化水素層にだけヒーター区画を供給するため、トンネルを使用すると、上層土を通過する区画を有するヒーターを用いた場合のヒーターコストに比べて、ヒーターコストは３０％以上、５０％以上、６０％以上又は７０％以上安くできる。
【００９７】
幾つかの実施態様ではトンネル経由でヒーターを供給すると、炭化水素層２１６では一層高い熱源密度が得られる。熱源密度が高いほど、地層からの炭化水素の生産は早くなる。ヒーター間隔を近接させるほど、追加のヒーター当たりのコストが大幅に低下するため、経済的に有利かも知れない。例えば上層土経由で掘削して、タールサンド地層の炭化水素層に配置される複数のヒーターは、通常、約１２ｍ間隔で離れる。トンネルからヒーターを設置すると、炭化水素層中に約８ｍ間隔で離すことができる。この間隔を更に近接させると、１２ｍ間隔で離れたヒーターから得られる５年間の最初の生産量に比べて、最初の生産量を約２年間促進でき、また生産の完了を約８年から約５年に促進できる。このような最初の生産量により、加熱要件は５％以上低減できる。
【００９８】
特定の実施態様ではヒーター又は熱源の地表下接続は、ヒータートンネル２３０内で作られる。ヒータートンネル２３０内で作られる接続としては、限定されるものではないが、絶縁電気接続、物理的支持接続、及び計器（instrumental）／診断接続が含まれる。例えばヒータートンネル２３０内に配置された電気ヒーター素子と母線（bus-bar）間に電気的接続を作ることができる。母線は、ヒーター素子の末端に電気的接続を付与するのに使用できる。特定の実施態様ではヒータートンネル２３０内で作られる接続は、特定の安全水準で作られる。例えばこのような接続は、ヒータートンネル２３０に移動する可能性がある熱源又は熱源坑井孔からのガスのため、ヒータートンネル内で爆発の危険（又はその他の潜在的な危険）がないか又は殆どないように作られる。幾つかの実施態様ではヒータートンネル２３０はヒータートンネル内での爆発の危険性を低減するため、表面又は他の面に排気される。例えばヒータートンネル２３０は用役シャフト２２６経由で排気できる。
【００９９】
特定の実施態様ではヒーター接続はヒータートンネル２３０と用役トンネル２３２間に作られる。例えばヒータートンネル２３０から延びる電気ヒーターの電気的接続はヒータートンネル２３０を通って用役トンネル２３２内に延びてよい。このような接続は、この接続を通るか又は接続の回りの複数のトンネル間で漏れがないか又は殆どないように、ほぼ密封できる。
【０１００】
特定の実施態様では用役トンネル２３２は熱源及び／又は生産機器を操作するのに必要な電力機器又はその他の機器を有する。特定の実施態様では用役トンネル２３２内にトランス２３６及び電圧調整器２３８が配置される。地表下にトランス２３６及び電圧調整器２３８を配置すると、地層の上層土に高電圧を直接送って地層中のヒーターへの電力供給効率を向上できる。
【０１０１】
トランス２３６は、例えば東芝（東京、日本）から入手できるＳＦ６ガス絶縁電力トランスのようなガス絶縁水冷式トランスであってよい。このようなトランスは高効率トランスかも知れない。トランスは地層中の多数のヒーターに電気を供給するのに使用できる。このようなトランスの高効率性により、トランスに対する水冷要件は低下する。トランスの水冷要件が低下すると、トランスの過熱を防止するための余分な冷却を必要とすることなく、トランスを小室に置くことができる。空冷式のに代えて水冷式にすると、冷却用流体の容量当たりの熱を空冷式に比べて多く表面に送ることができる。ガス絶縁トランスを使用すれば、地下機器では危険かも知れない可燃性油を使用しなくてよい。
【０１０２】
幾つかの実施態様では電圧調整器２３８は、トンネル内の熱源に分配される電圧を制御する分配型電圧調整器である。幾つかの実施態様では、電力をトンネル内の熱源に分配するか、或いは熱源の電圧を制御するために、用役トンネル２３２内に配置した可変電圧負荷タップ切換え式トランスが使用される。トランス２３６、電圧調整器２３２、負荷タップ切換え器、及び／又は可変電圧負荷タップ切換え式トランスは、トンネル内又は個々の熱源内の熱源群又は熱源列に分配された電圧を制御できる。熱源の一群に分配された電圧の制御により、該一群の熱源が一括（block）制御される。個々の熱源に分配された電圧の制御により、個々の熱源が制御される。
【０１０３】
幾つかの実施態様ではトランス２３６及び／又は電圧調整器２３８は、用役トンネル２３２の側（side）室に配置される。トランス２３６及び／又は電圧調整器２３８を側室内に置けば、トランス及び／又は電圧調整器は用役トンネル２３２内を移動する人、機器及び／又は自動車の道の外に移行される。用役シャフト２２６内の供給ライン（例えば図１０に示す供給ライン２０４）は、用役トンネル２３２内の電圧調整器２３８及びトランス２３６に電力を供給できる。
【０１０４】
幾つかの実施態様では図３に示すように、電圧調整器２３８は電力室２４０内に配置される。電力室２４０は、用役トンネル２３２に接続してもよいし、或いは用役トンネルの側室であってもよい。電力は用役シャフト２２６経由で電力室２４０に送ってよい。電力室２４０を使用すると、地表下の熱源のために作った接続を一層容易に、一層早く、及び／又は一層効果的に維持、修理、及び／又は取替えできる。
【０１０５】
特定の実施態様ではヒータートンネル２３０及び用役トンネル２３２の区画は、接続用トンネル２４８により相互に連結される。接続用トンネル２４８は、ヒータートンネル２３０と用役トンネル２３２間を近接できる。接続用トンネル２４８は、ヒータートンネル２３０と用役トンネル２３２間を開閉できるシールとするため、エアーロック又はその他の構造を有してよい。
【０１０６】
幾つかの実施態様ではヒータートンネル２３０はパイプライン２０８又はその他の導管を有する。幾つかの実施態様ではパイプライン２０８は、ヒータートンネル２３０に連結した生産坑井又はヒーター坑井から流体（例えば炭化水素流体のような地層流体）を生産するのに使用される。幾つかの実施態様ではパイプライン２０８は、産坑井又はヒーター坑井で使用される流体（例えば流体又はガスバーナー用のガスをヒーターに循環するための熱伝達流体）を供給するのに使用される。パイプライン２０８用のポンプ及び関連機器２５２は、パイプライン室２５４又はトンネルの他の側室に配置してよい。幾つかの実施態様ではパイプライン室２５４はヒータートンネル２３２から単離（密封）される。流体は、用役シャフト２２６内に配置された立上がり管及び／又はポンプを用いてパイプライン室２５４に供給してよい、及び／又は該室から除去してよい。
【０１０７】
幾つかの実施態様では熱源は、地層から生産される地層流体の粘度を制御するため、ヒータートンネル２３０付近の坑井孔２１２中で使用される。複数の熱源は種々の長さであってよい、及び／又は地層中の異なる場所で異なる量の熱を供給してよい。幾つかの実施態様では熱源は、地層から流体を生産するために使用される坑井孔２１２（例えば生産坑井）内に配置してよい。
【０１０８】
図２に示すように、坑井孔２１２は炭化水素層２１６内の複数のトンネル２２８Ａ間で延びてよい。トンネル２２８Ａはヒータートンネル２３０、用役トンネル２３２及び／又は出入りトンネル２３４の１つ以上を有してよい。幾つかの実施態様では出入りトンネル２３４は排気トンネルとして使用される。いかなる数のトンネル及び／又はいかなる順序のトンネルも考慮又は所望に応じて使用できることを理解すべきである。
【０１０９】
幾つかの実施態様では加熱流体は、トンネル間に延びる坑井孔２１２又は熱源内を流れてよい。例えば加熱流体は第一ヒータートンネルと第二ヒータートンネル間で流れてよい。第二トンネルは加熱流体を地層から地層の表面に取出すことができる生産システムを備えてよい。幾つかの実施態様では第二トンネルは２つ以上の坑井孔から加熱流体を集める機器を有する。幾つかの実施態様では加熱流体は、昇降システムを用いて表面に移動される。昇降システムは用役シャフト２２６又は別の生産坑井内に配置してよい。
【０１１０】
生産坑井昇降システムは、地層流体を生産坑井の底部から表面に効率的に輸送するのに使用してよい。生産坑井昇降システムは、最大要求坑井引落し（最小油層生産圧）及び生産速度を与え、維持することができる。生産坑井昇降システムは広範囲の高温／多相流体（ガス／蒸気／水蒸気／水／炭化水素流体）及び一般的プロジェクトの存続期間中に予期される生産速度に対し、効率的に操作できる。生産坑井昇降システムとしては、２重同心ロッドポンプ昇降システム、部屋型昇降システム及びその他の型の昇降システムが含まれてよい。
【０１１１】
図５はトンネル２２８Ａ間の熱源２０２中に加熱流体を流すための実施態様の側面図を示す。図６は図５の実施態様の上面図を示す。循環システム２２０は加熱流体（例えば溶融塩）を熱源２０２中に循環させることができる。加熱流体を熱源に供給すると共に、熱源から加熱流体を戻すためにシャフト２２６及びトンネル２２８Ａを使用してよい。シャフト２２６及びトンネル２２８Ａ内に大口径（large diameter）パイプを使用してよい。大口径パイプは、加熱流体を地層の上層土を通って輸送する際、圧力降下を最小化できる。シャフト２２６及びトンネル２２８Ａ内のパイプは、上層土での熱損失を防止するため絶縁してよい。
【０１１２】
図７は、トンネル２２８Ａ間に延びる坑井孔２１２を有する地下処理システム２２２の一実施態様の他の透視図を示す。ヒーター又は熱源は坑井孔２１２内に配置してよい。特定の実施態様では坑井孔２１２は坑井孔室２５６から延びている。坑井孔室２５６はトンネル２２８Ａの側部（side）に接続してもよいし、或いはトンネルの側室であってもよい。
【０１１３】
図８は、坑井孔室２５６を有するトンネル２２８Ａの一実施態様の上面図を示す。特定の実施態様では、電力室２４０は用役トンネル２３２に接続される。トランス２３６及び／又は他の電力機器は電力室２４０内に配置してよい。
【０１１４】
特定の実施態様ではトンネル２２８Ａはヒータートンネル２３０及び用役トンネル２３２を有する。ヒータートンネル２３０は接続用トンネル２４８により用役トンネル２３２に接続してよい。坑井孔室２５６はヒータートンネル２３０に接続される。特定の実施態様では坑井孔室２５６はヒーター坑井孔室２５６Ａ及び補助坑井孔室２５６Ｂを有する。熱源２０２（例えばヒーター）は、ヒーター坑井孔室２５６Ａから延びてよい。熱源２０２はヒーター坑井孔室２５６Ａから延びる坑井孔内に配置してよい。
【０１１５】
特定の実施態様ではヒーター坑井孔室２５６Ａは、該室中に熱源を一層容易に取付けるため、ヒータートンネル２３０に対し傾斜した側壁を有してよい。ヒーターは限定的な曲げ能力があってもよく、また傾斜壁はヒーターを過剰に曲げることなく、室内に取付けることができる。
【０１１６】
特定の実施態様では障壁２５８はヒータートンネル２３０からヒーター坑井孔室２５６Ａを密封する。障壁２５８は耐火性及び／又は耐衝風性障壁（例えばコンクリート壁）であってよい。幾つかの実施態様では障壁２５８は、入室させるため、入口（例えばアクセスドアー）を有する。幾つかの実施態様ではヒーター坑井孔室２５６Ａは、熱源２０２の取付け後、ヒータートンネル２３０から密封される。用役シャフト２２６は、ヒーター坑井孔室２５６Ａへの排気を行える。幾つかの実施態様では用役シャフト２２６は、火又は衝風鎮圧流体をヒーター坑井孔室２５６Ａに供給するのに使用される。
【０１１７】
特定の実施態様では、補助坑井孔２１２Ａは補助坑井孔室２５６Ｂから延びている。補助坑井孔２１２Ａは、例えば漏れをなくすため、及び／又は坑井孔を監視するため、充填坑井孔（例えば修理坑井孔）又は干渉坑井孔として使用してよい。障壁２５８はヒータートンネル２３０から補助坑井孔室２５６Ｂを密封することができる。幾つかの実施態様ではヒーター坑井孔室２５６Ａ及び／又は補助坑井孔室２５６Ｂはセメントで充填される。坑井孔室にセメントを充填すると、坑井孔室への流体の流入及び流出が密封される。
【０１１８】
図２及び図７に示すように、坑井孔２１２はトンネル２２８Ａ間に形成してよい。坑井孔２１２は、トンネル２２８Ａから炭化水素層２１２中に掘削すれば、炭化水素中にほぼ垂直、水平又は傾斜して形成できる。坑井孔２１２は当該技術分野で公知の掘削技術を用いて形成できる。例えば坑井孔２１２はＰｅｎｇｕｉｎ  Ａｕｔｏｍａｔｅｄ  Ｓｙｓｔｅｍｓ（Ｎａｕｇｈｔｏｎ、オンタリオ、カナダ）から入手できるコイル型配管（coiled tubing）を用いて水圧掘削により形成できる。
【０１１９】
トンネル２２８Ａから坑井孔２１２を掘削すると、掘削効率を向上し、掘削時間を短縮できるし、また坑井孔は上層土２１４経由で掘削する必要がないので、長くすることができる。トンネル２２８Ａにより、表面ではなく、地表下に大きな表面設置（footprint）機器を置くことができる。トンネル２２８Ａからの掘削、続いて機器の配置及び/又はトンネル内の接続は、表面基盤機器及び接続を用いる従来の表面掘削法に比べて、表面設置面積（footprint）を減少できる。
【０１２０】
炭化水素含有地層の処理に現場熱処理法と組み合わせてシャフト及びトンネルを用いると、坑井孔の建設、ヒーターの建設、及び/又は掘削要件から上層土部分が除かれるので、有益かも知れない。幾つかの実施態様ではシャフト及びトンネルの少なくとも一部は炭化水素含有地層内又は上の帯水層下に置かれる。シャフト及びトンネルを帯水層下に配置すると、帯水層への汚染の危険性を低減できる、及び/又は地層処理後のシャフト及びトンネルの放棄を簡素化できる。
【０１２１】
特定の実施態様では、地下処理システム２２２(図２、３、７、１１及び１０)は、地層圧及び地層流体からトンネル及びシャフトを密封するため、１つ以上のシールを有する。例えば地下処理システムは地層から人の作業空間を密封するため、１つ以上の不浸透性障壁を備える。幾つかの実施態様では坑井孔からトンネル及びシャフトへの流体の流入を防止するため、坑井孔はトンネル及びシャフトに対し不浸透性障壁で密封される。幾つかの実施態様では不浸透性障壁は、セメント又はその他の充填材を含有する。幾つかの実施態様ではシールはバルブ又はバルブシステム、エアーロック、又はその他、当該技術分野で公知の密封システムを有する。地下処理システムは人、自動車及び/又は機器を入れる（access）ため、表面に少なくとも１つの入口及び/又は出口を有してよい。
【０１２２】
図９はトンネル２２８Ａの展開状況を示す実施態様の上面図である。ヒータートンネル２３０は、左から右へのトンネルの形成順序に従って、熱源部２４２、接続部２４４及び/又は掘削部２４６を備える。熱源部２４２から坑井孔２１２が形成され、この坑井孔に熱源が導入されている。幾つかの実施態様では熱源部２４２は、炭化水素ガス及び/又は硫化水素に対し不浸透性の材料を有するヒータートンネル２３０及び/又は用役トンネル２３２の他の部から隔離してよい。例えばセメント又はその他の不浸透性材料は、熱源部２４２をヒータートンネル２３０及び/又は用役トンネル２３２から密封するのに使用できる。幾つかの実施態様では不浸透性材料は地層流体又はその他の危険な流体が熱源部に入るのを防止するため、地層の加熱部分から熱源部２４２を封止するのに使用される。幾つかの実施態様では坑井孔の３０ｍ以上、４０ｍ以上又は５０ｍ以上は、熱源とヒータートンネル２３０間にある。幾つかの実施態様ではヒータートンネル２３０に近いシャフト２２４は、炭化水素層で加熱を開始した後、ガス又はその他の流体がシャフトに入るのを防止するため、密封される（例えばセメントで充填される）。
【０１２３】
幾つかの実施態様では用役トンネル２３２内にヒーター制御器を配置してよい。幾つかの実施態様では用役トンネル２３２は、ヒーター及び/又は熱伝達システムを支持するのに必要な、電気接続、燃焼器、及び/又はポンプを有する。例えば用役トンネル２３２にはトランス２３６が配置できる。
【０１２４】
熱源部２４２の後に接続部２４４が配置できる。接続部２４４は、熱源を絶縁する、及び/又は熱源を接続する (例えばヒーターへの電気接続を行う)のに必要な操作を行うための空間を有してよい。幾つかの実施態様では接続部２４４での機器の接続及び/又は移動は、ロボット又はその他の自動化技術を用いて自動化される。掘削部２４６は接続部２４４の後に配置できる。追加の坑井孔を掘ってよい、及び/又は掘削部２４６中でトンネルを延長してよい。
【０１２５】
特定の実施態様では熱源部２４２、接続部２４４及び/又は掘削部２４６での操作は互いに独立している。熱源部２４２、接続部２４４及び/又は生産部２４６は、専用の排気システムを有する、及び/又は用役トンネル２３２に接続している。接続トンネル２４８により、熱源部２４２、接続部２４４及び/又は掘削部２４６への出入りが可能である。
【０１２６】
幾つかの実施態様では接続トンネル２４８はエアーロック及び/又はその他の障壁を有する。エアーロック２５０は、熱源部２４２内の圧力が、掘削部２４６の空気圧よりも低い接続部２４４の空気圧よりも低くなるように、相対圧力を調節するのに役立つ。用役トンネル２３２、接続部２４４及び/又は掘削部２４６内の可燃性雰囲気の可能性を低減するため、熱源部２４２（最も危険な領域）に空気流が移動できる。エアーロック２５０は、用役トンネル２３２内で危険な可燃性限界（例えば可燃性限界の下限の１／２未満）が生じた場合、トランス又はその他の電気機器の電気を確実に切るため、好適なガス検知兼警報器を備えてよい。エアーロック２５０及び/又はその他の障壁を操作するため、自動化制御器を使用してよい。エアーロック２５０は、正常な操作中及び/又は危険な状況中、人が入る（access）及び/又は出る（egress）のを制御するため、操作できる。
【０１２７】
特定の実施態様ではトンネルから延びる坑井孔中に配置した熱源は炭化水素層の加熱に使用される。熱源からの熱は炭化水素層中の炭化水素を流動化でき、この流動化した炭化水素は生産坑井に向かって流れる。生産坑井は流動化流体を生産するための熱源の下、付近又は上の炭化水素層中に位置してよい。幾つかの実施態様では地層流体は、炭化水素層中に配置されたトンネルに重力排出してよい。製造システムはトンネル内(例えば図３に示すパイプライン２０８)に取り付けてよい。このトンネル製造システムは、表面設備及び/又はトンネル内の設備から操作できる。配管、保持設備及び/又は生産坑井は、トンネルから流体を生産するのに使用されるトンネルの生産部分に配置してよい。トンネルの生産部分は、不浸透性材料（例えばセメント又は鋼ライニング材）で密封してよい。地層流体は、トンネル内に配置した立上がり管及び/又は垂直生産坑井経由で表面にポンプ送りできる。幾つかの実施態様では多数の水平生産坑井からの地層流体は、トンネル内に配置した１つの垂直生産坑井中に排出できる。地層流体は垂直生産坑井経由で表面に生産できる。
【０１２８】
幾つかの実施態様では表面から直接、炭化水素層に延びる生産坑井孔は炭化水素層から流体を生産するのに使用される。図１０は表面から炭化水素層２１６内に延びる生産坑井２０６を示す。特定の実施態様では生産坑井２０６は、炭化水素層２１６内にほぼ水平に配置されている。しかし、生産坑井２０６は所望のいかなる配向であってもよい。例えば生産坑井２０６はほぼ垂直の生産坑井２０６であってよい。
【０１２９】
幾つかの実施態様では図１０に示すように、生産坑井２０６は地層の表面から延び、また熱源２０２は上層土２１４内又は地層の他の不浸透層内のトンネル２２８Ａから延びている。地層中に熱源を供給するために使用されるトンネルから切り離して生産坑井を有すると、トンネル内や電気機器又はその他のヒーター機器近くにある熱地層流体（例えば熱炭化水素流体）に関連した危険性を低減できる。幾つかの実施態様では表面上の生産坑井の場所と表面下のトンネル内への流体取入れ口、排気取入れ口及び/又はその他の可能な取入れ口の場所との距離は、流体がこれらの取入れ口経由で地層中に再度入る危険を最小にするため、最大化される。
【０１３０】
幾つかの実施態様では坑井孔２１２は、地層の上層土下の用役トンネル２３２又はその他のトンネルと相互連結される。図１１は地下処理システム２２２の一実施態様の側面図を示す。特定の実施態様では坑井孔２１２は、炭化水素層２１６中の用役トンネル２３２に向けて傾斜（directional）掘削される。坑井孔２１２は表面から又は上層土２１４中に配置したトンネルから傾斜掘削できる。炭化水素層２１６中の用役トンネル２３２を横切るための傾斜掘削は、地層中の他の坑井孔を横切るための傾斜掘削よりも容易かも知れない。限定されるものではないが、磁気伝達器、磁気感知器、音響伝達器及び音響感知器のような掘削機器は、用役トンネル２３２内に配置して、坑井孔２１２の傾斜掘削に使用できる。掘削機器は傾斜掘削後、用役トンネル２３２から除去してよい。幾つかの実施態様では用役トンネル２３２は、現場熱処理法中、地層から流体を集め、及び/又は生産するため、後で使用される。
【０１３１】
以上の説明から本発明の各種面での更なる改変及び代替実施態様を使用できることは当業者には明らかである。したがって、以上の説明は単に例証と解釈すべきであり、当業者に本発明を実施する一般的な方法を教示する目的のためである。ここに示し説明した本発明の形態は、現在の好ましい実施態様として受取るものと理解すべきである。構成要素及び材料は、ここで例証し、説明したものに取替え可能であり、部品及び方法は取替え可能であり、また本発明の特定の特徴は、独立に利用可能である。これらは全て本発明についての以上の説明の利益を享受した後、当業者には明らかであろう。特許請求の範囲に記載した本発明の精神及び範囲を逸脱しない限り、以上説明した構成要素に変化を行うことは可能である。更に、ここで独立に説明した特徴は、特定の実施態様において組合わせ可能であると理解すべきである。
【符号の説明】
【０１３２】
２００      障壁坑井
２０２      熱源
２０４      供給ライン
２０６      生産坑井
２０８      収集配管
２１０      処理設備
２１２      坑井孔
２１２Ａ    補助坑井孔
２１４      上層土
２１６      炭化水素層
２１８      表面
２２０      循環システム
２２２      地下処理システム
２２４      シャフト
２２６      用役シャフト
２２８Ａ    トンネル
２２８Ｂ    トンネル
２３０      ヒータートンネル
２３２      用役トンネル
２３４      出入りトンネル
２３６      トランス
２３８      電圧調整器
２４０      電力室
２４２      熱源部
２４４      接続部
２４６      掘削部
２４８      接続用トンネル
２５０      エアーロック
２５２      関連機器
２５４      パイプライン室
２５６      坑井孔室
２５６Ａ    ヒーター坑井孔室
２５６Ｂ    補助坑井孔室
２５８      障壁
【先行技術文献】
【特許文献】
【０１３３】
【特許文献１】米国特許第２，６３４，９６１号
【特許文献２】米国特許第２，７３２，１９５号
【特許文献３】米国特許第２，７８０，４５０号
【特許文献４】米国特許第２，７８９，８０５号
【特許文献５】米国特許第２，９２３，５３５号
【特許文献６】米国特許第４，８８６，１１８号
【特許文献７】米国公開特許出願第２００７／００４４９５７号
【特許文献８】米国公開特許出願第２００８／００１７４１６号
【特許文献９】米国公開特許出願第２００８／００７８５５２号
【図１】
0005566371.tif 000002
【図２】
0005566371.tif 000003
【図３】
0005566371.tif 000004
【図４】
0005566371.tif 000005
【図５】
0005566371.tif 000006
【図６】
0005566371.tif 000007
【図７】
0005566371.tif 000008
【図８】
0005566371.tif 000009
【図９】
0005566371.tif 000010
【図１０】
0005566371.tif 000011
【図１１】
0005566371.tif 000012